(57)【要約】  本発明は、これからオブジェクトサポート（２）に設けようとする、切片作製された組織サンプルのためのオブジェクトサポート（２）の識別（１）を、まだ切片作製されていない所属の組織サンプル（５）のサポート（４）に割り当てられた識別情報（３）に割り当てるための方法及び装置に関する。従来技術による割り当て問題は、簡単な形式で、サポート（４）に所属する識別情報（３）を、サポート（４）をミクロトーム（６）内に配置する間に自動的に検出して、この識別情報（３）に割り当てられる識別（１）を少なくとも１つのオブジェクトサポート（２）に自動的に伝達し、次いでこの、識別（１）を備えたオブジェクトサポート（２）を、切片作製された組織サンプルをオブジェクトサポート（２）上にもたらすべき時点において、ミクロトーム（６）の、切片作製された組織サンプルを設けるための作業箇所に提供するようにしたことによって、解決される。
2005509154.tif 000002
【特許請求の範囲】
【請求項１】
オブジェクトサポート（２）に設けようとする、切片作製された組織サンプルのためのオブジェクトサポート（２）の識別（１）を、まだ切片作製されていない所属の組織サンプル（５）のサポート（４）に割り当てられた識別情報（３）に割り当てるための方法において、
サポート（４）に所属する識別情報（３）を、サポート（４）をミクロトーム（６）内に配置する間に自動的に検出して、この識別情報（３）に割り当てられる識別（１）を少なくとも１つのオブジェクトサポート（２）に自動的に伝達し、次いでこの、識別（１）を備えたオブジェクトサポート（２）を、切片作製された組織サンプルをオブジェクトサポート（２）上にもたらすべき時点において、ミクロトーム（６）の、切片作製された組織サンプルを設けるための作業箇所で提供することを特徴とする、切片作製された組織サンプル用のオブジェクトサポートの識別を割り当てるための方法。
【請求項２】
切片作製された組織サンプルを作製する度に識別情報（３）を検出し、識別（１）を有するオブジェクトサポート（２）を作製して、提供する、請求項１記載の方法。
【請求項３】
少なくとも１つのオブジェクトサポート（２）の識別（１）を、識別情報（３）に対応させる、請求項１又は２記載の方法。
【請求項４】
識別情報（３）に、組織サンプル（５）の原始割り当て情報と共に別の情報を含ませる、請求項１から３までのいずれか１項記載の方法。
【請求項５】
オブジェクトサポート（２）の識別（１）を、情報処理コードに基づいて原始割り当て情報と共に、オブジェクトサポート（２）の切片作製された組織サンプルを個別化する別の情報でロードする、請求項１，２又は４記載の方法。
【請求項６】
前記別の情報に、オブジェクトサポート（２）の切片作製された組織サンプルのための処理指令を加える、請求項５記載の方法。
【請求項７】
前記別の情報に、オブジェクトサポート（２）の切片作製された組織サンプルのための評価指示を加える、請求項５又は６記載の方法。
【請求項８】
識別情報（３）に、情報処理コード及び別の情報を含ませる、請求項５から７までのいずれか１項記載の方法。
【請求項９】
請求項１から８までのいずれか１項記載の方法を実施するための装置において、
切片作製された組織サンプル（５）を有するサポート（４）をミクロトーム（６）の保持装置（８）に配置する間に識別情報（３）を検出するための検出装置（７）と、オブジェクトサポート（２）に識別（１）を設けるための識別装置（９）と、検出装置（７）と識別装置（９）との間で情報伝達するための伝達装置（１０）と、切片作製された組織サンプルを設けるために、識別（１）を備えたオブジェクトサポート（２）を取り出すミクロトーム（６）の作業箇所に設置された引き渡し装置（１１）とが設けられていることを特徴とする、切片作製された組織サンプルのオブジェクトサポートの識別を割り当てるための装置。
【請求項１０】
検出装置（７）が、サポート（４）をミクロトーム（６）内で位置決めした後で識別情報（３）を検出し、かつ、少なくとも１つのオブジェクトサポート（２）の識別（１）を行うように、構成されている、請求項９記載の装置。
【請求項１１】
検出装置（７）は、切片作製された組織サンプルを製造する際に識別情報（３）を検出し、かつオブジェクトサポート（２）の識別（１）を行うために識別装置（９）に命令を発するように、構成されている、請求項９記載の装置。
【請求項１２】
識別情報（３）が別個のデータキャリアに設けられており、このデータキャリアが識別コードによってサポート（４）に割り当て可能である、請求項９から１１までのいずれか１項記載の装置。
【請求項１３】
識別情報（３）が、サポート（４）に物理的に接続された情報キャリア（１５）にロードされる、請求項９から１１までのいずれか１項記載の装置。
【請求項１４】
引き渡し装置（１１）は、新たなサポート（４）がミクロトーム（６）内に位置決めされると、識別（１）を備えたオブジェクトサポート（２）の提供を中断するように、構成されている、請求項９から１３までのいずれか１項記載の装置。
【請求項１５】
オブジェクトサポート（２）の識別（１）を実施するための制御装置（１２）を有している、請求項９から１４までのいずれか１項記載の装置。
【請求項１６】
識別（１）の形式及び／又は数を規定するための命令入力（１３，１３′，１３″）を有している、請求項１５記載の装置。
【請求項１７】
まだ識別されていないオブジェクトサポート（２）のための貯蔵部（１６）を有している、請求項９から１６までのいずれか１項記載の装置。
【請求項１８】
制御装置（１２）は、識別（１）を備えようとするオブジェクトサポート（２）の数を規定することができるように、構成されている、請求項１３から１７までのいずれか１項記載の装置。
【請求項１９】
制御装置（１２）は、識別を備えようとするオブジェクトサポート（２）の数を手動で増やすことができるように、構成されている、請求項１８記載の装置。
【請求項２０】
制御装置（１２）は、識別（１）の数及び／又は形式に関する情報を有する識別情報（３）の識別を行うための情報を取り出すように、構成されている、請求項１５から１９までのいずれか１項記載の装置。
【請求項２１】
情報及び／又は作業段階を表示する表示装置（１４）を有している、請求項９から２０までのいずれか１項記載の装置。
【請求項２２】
検出装置（７）とサポート（４）と保持装置（１２）とは、検出装置（７）がサポート（３）の読み取りフィールド（１５′）から識別情報（３）を読み取るように、構成及び配置されている、請求項１３から２１までのいずれか１項記載の装置。
【請求項２３】
サポート（４）と保持装置（１１）とは、緊締装置として構成された保持装置（１１）が緊締されたサポート（４）の読み取りフィールド（１５′）の外に位置するように、構成され、かつ互いに合致されている、請求項２２記載の装置。
【請求項２４】
請求項４，５又は６から８までのいずれか１項記載の方法の実施を準備するための装置（１８）であって、まだ切片作製されていない組織サンプル（５）のサポート（４）に割り当てられた識別情報（３）に割り当てた、切片作製された組織サンプル用のオブジェクトサポート（２）の識別（１）を備えており、前記サポート（４）が、前記割り当てのための情報キャリア（１５，１５′）を備えていて、前記装置（１８）が、識別情報（３）を作製するための装置（１９）を有している形式のものにおいて、
識別情報（３）を作製するための装置（１９）並びに情報キャリア（１５，１５′）と、前記サポート（４）に割り当てられたデータキャリアとが、組織サンプル（５）の原始割り当ての他に、情報処理コードと、まだ切片製作されていない同一の組織サンプル（５）を原始とする、切片作製された組織サンプルを備えた多数のオブジェクトサポート（２）の識別（１）を個別に備えるために用いられる情報とを有している識別情報（３）を作製するために構成されていることを特徴とする、切片作製された組織サンプルのオブジェクトサポートの識別の実施を準備するための装置。
【請求項２５】
識別情報（３）を作製するための装置（１９）は、別個のデータキャリアをロードし、かつこのデータキャリア並びにサポート（４）の情報キャリア（１５，１５′）に相互割り当てするための識別コードを備えるように、構成されている、請求項２４記載の装置。
【請求項２６】
前記装置（１９）及び情報キャリア（１５，１５′）は、情報キャリアが全識別情報（３）でロードされ得るように、構成されている、請求項２４記載の装置。
【請求項２７】
オブジェクトサポート（２）に設けられた情報が、切片作製された組織サンプルのための処理指示指令を有している、請求項２４から２６までのいずれか１項記載の装置。
【請求項２８】
オブジェクトサポート（２）に設けられた情報が、切片作製された組織サンプルのための評価指示指令を有している、請求項２４又は２７記載の装置。
【請求項２９】
設けられた情報が、機械的に検出可能及び変換可能な装置制御指示指令として構成されている、請求項２４から２８までのいずれか１項記載の装置。
【発明の詳細な説明】
【技術分野】
【０００１】
本発明は、これからオブジェクトサポートに設けようとする切片作製された（mikrotomierte）組織サンプルのためのオブジェクトサポート（Objekttraeger）の識別（Kennzeichnung）を、まだ切片作製されていない所属の組織サンプル（組織試料）に割り当てられた識別情報に対応させて割り当てる（Zuordnung）ための方法に関する。
【０００２】
本発明はまた、このような方法を実施するための装置、並びに前記方法の実施を準備するための装置であって、まだ切片作製されていない組織サンプルのサポートに割り当てられた識別情報に割り当てた、切片作製された組織サンプル用のオブジェクトサポートの識別を備えており、該サポートが、前記割り当てのための情報キャリアを備えていて、前記装置が、識別情報を作製するための装置を有している形式のものに関する。
【０００３】
組織学的な技術においては、患者の組織サンプルがルーチン作業で検査される。最も普及している方法によれば、パラフィン包埋された組織サンプルを診断し、次いでミクロトーム（Mikrotom）によって薄切片に切削し、別のプロセスで染色を施し、カバーガラスで覆い、診断的な評価を行うために顕微鏡に提供するようになっている。先進的な実験室でこの患者サンプルが自動的に各段階で処理される。サンプル包埋は、固定、脱水、中間媒体による洗浄、自動包埋装置によるパラフィン包埋の段階で行われる。次の段階つまりパラフィンブロックの製造は、流し込みステーションで行われる。ミクロトームによる薄切片の製造は、包埋された組織サンプルを有するパラフィンブロックをミクロトームで切削することによって得られる。各薄切片の染色及び対照は、自動染色機の複数の段階で行われる。自動カバーガラス取り付け機によって薄切片をカバーガラスで覆った後で、患者サンプルから取り出された薄切片を顕微鏡で評価するために提供される。
【０００４】
この場合の問題は、組織サンプルをすべてのプロセス段階を通して一貫して明瞭に識別可能に維持し、取り違えを回避し、サンプル損傷を避けるという点にある。これに関連して、既に幾つかの進歩が成し遂げられている。従って最近のプロセスでは、組織サンプルは切片作製直後にいわゆる組織カセット内に挿入され、カバーによって閉鎖されて、保護されるようになっている。進歩的な組織カセットは、良好な液体貫流特性と共に、サンプル損傷に対して保護し、明瞭な識別を提供する。このために進歩的なカセットは、十分な大きさ及び表面特性を有する書き込み可能又は印刷可能な面を有しており、この面は、次のプロセス中における十分な付着性及び丈夫さを有する記載又は印刷を可能にする、十分な大きさ及び表面特性を有している。このような形式で、サンプルは組織包埋中に記載されたカセット内において明瞭に認識可能である。さらに、次の段階、つまり組織サンプルを包埋してパラフィンブロックを流し込む段階において、サンプルを取り違えないようにするための十分な保証が得られる。何故ならば、同一記載されたカセットが組織サンプルを有するパラフィンブロックのサポートとして用いられ、それによってサンプルは硬化したパラフィンブロックを介して、記載されたカセットに接続される。
【０００５】
さらに次の段階において、ミクロトームで組織サンプルから顕微鏡的な薄切片が製造される。このために、包埋された組織サンプル及びこれに結合されたカセットサポート部分を有するパラフィンブロックが、ミクロトームのサンプルホルダ内で緊締され、切片作製される。この場合、ミクロトームナイフの背側又は使い捨て刃ホルダの背側に薄切片が形成され、この薄切片はブラシ及びピンセットを用いて手動操作で伸展させるために、お湯が入れられた水浴内に移される。次いで伸展された薄切片は、ガラス製の市販のオブジェクトサポート上に載せられる。オブジェクトサポートは、その記載面に、組織に関する同じ割り当て情報（サポートとして用いられる組織カセットの説明が書かれている）を有している。また付加的に、一般的には１つの組織サンプルから、多数のオブジェクトサポート上に分配される、利用可能な多数の薄切片が製造される。このことはつまり、多数のオブジェクトサポートが、組織サンプルに関する同じ原始情報を有していなければならない、ということである。
【０００６】
オブジェクトサポートの記載については、２つの方法がある。一般的には、薄切片が切り出されると直ちにオブジェクトサポートに手書きで書き込まれる。これは、カセットに記載された患者サンプル情報が手書きの書き込みによって単数又は複数のオブジェクトサポートに伝達される、ということである。この方法は伝達間違えの危険性を助長し、従って取り違え及びミスに対する安全性の程度を低くする。しかもこのために、手書きの情報を、後で別の人間が読み取って、さらに処理しなければならない。
【０００７】
アメリカ合衆国特許第４２７６２５３号明細書によれば、切片作製された各組織サンプルのために切削時に得られか若しくはコピーされる特徴をサンプルに取り付けることが公知である。この場合、切片作製された組織サンプルは既に切削時に特徴付けられているので、解決すべき割り当て問題は存在しない。しかしながらこのような方法は、一緒に切削される細長いプロフィール部分より成るマーキングによる高価なサンプル特徴付けを必要とし、これによって切削しようとするパラフィンブロックは大きくされ、またこのマーキングの高価な包埋作業を必要とする。従って技術的なコストが非常に高価になり、実際に実現するには疑問である。
【０００８】
別の刊行物（アメリカ合衆国特許第５８５４０７５号明細書、アメリカ合衆国特許第５７４６８５５号明細書及びドイツ連邦共和国特許公開第１００１０１４０号明細書）には、割り当て問題がその機械的な実施に基づいてもはや発生しない自動プロセスについて記載されている。この完全な自動化は、非常に薄い切片を処理するために問題があり、従って少なくとも技術的なコストを高くすることによってのみ実現可能である。
【０００９】
冒頭に述べた形式の方法及び装置で、マニュアル（手動で割り当てが実施されるものも公知である。この場合、サンプル準備プロセスの開始時に、サポートとして用いられる組織カセットの説明を書き込む時点で、同時に１つ又は複数のオブジェクトサポートに同じ情報が書き込まれる。これは、特に説明書き込みが自動的に連結されたカセット・及びオブジェクトサポート印刷システムによって行われる場合に、取り違えの危険性は減少される。しかしながらこの方法の欠点は、書き込まれたオブジェクトサポートが患者サンプルを組織カセットと共に次の段階で互いに結合されたユニットしてガイドできない、という点にある。つまり、組織サンプルの切片作製後に、これに適合された書き込まれたオブジェクトサポートを探し出して、マニュアルで書き込み情報と比較することによって識別する必要がある、ということである。また、書き込み時点において、各組織サンプルのために必要なオブジェクトサポートの数を確実に前もって規定することができない、という別の欠点がある。何故ならばこれは医師によって前もって規定されると共に、切片作製時に実行した専門家の判断が義務付けされているからである。書き込まれたオブジェクトサポートを再び見つけだすことによって、オブジェクトサポートを患者の組織サンプルに対して割り当てることを保証する分類学を得ることは、実際には困難である。何故ならばサンプルは個別の準備段階で何度も移し替える必要があるからである。従って新たな割り当てを作製するためには、オブジェクトサポート及び読み取り比較の面倒な一時保管が必要である。
【００１０】
相応の識別を有する前もって完成されたオブジェクトサポートは、割り当てが困難であるだけでなく、さらに後完成しなければならないか、又は薄切片を製造する専門家がこの工程中に、医師が意図したよりも多くの切片作製された組織サンプルが必要であることが分かった場合に、より多くの数を用意しなければならない。
【００１１】
この問題は、オブジェクトサポートの識別に、患者に対する割り当ての他に、種々異なる作業及び評価のための別の指示を与える必要がある場合に、さらに大きくなる。
【００１２】
そこで本発明の課題は、組織学的な技術で特にマニュアルの割り当てにおいて、簡単な形式で前記割り当て問題を解決できるような、オブジェクトサポートのための確実かつ効果的な識別法並びに装置を提供することである。
【００１３】
この課題を解決した本発明の方法の手段によれば、サポートに所属する識別情報を、サポートをミクロトーム内に配置する間に自動的に検出して、この識別情報に割り当てられる識別を少なくとも１つのオブジェクトサポートに自動的に伝達し、次いでこの、識別を備えたオブジェクトサポートを、切片作製された組織サンプルをオブジェクトサポート上にもたらすべき時点において、ミクロトームの、切片作製された組織サンプルを設けるための作業箇所で提供するようにした。
【００１４】
またこの課題を解決した、本発明の方法を実施するための装置によれば、切片作製された組織サンプルを有するサポートをミクロトームの保持装置に配置する間に識別情報を検出するための検出装置と、オブジェクトサポートに識別を設けるための識別装置と、検出装置と識別装置との間で情報伝達するための伝達装置と、切片作製された組織サンプルを設けるために、識別を備えたオブジェクトサポートを取り出すミクロトームの作業箇所に設置された引き渡し装置とが設けられている。
【００１５】
本発明の方法によって、切片作製されたサンプル（つまり薄切片）を製造する専門家が、このサンプルを、まだ切片作製されていない組織サンプルに対して割り当てる作業を完全に省くことができる。この場合、まだ切片作製されていない組織サンプルとは、最初の薄切片が既に切削されている組織サンプルも含んでいる。これは、組織サンプルを有するサポートがミクロトーム内に位置している場合に、特に自動化された検出装置によって検出される。そしてこれは、人間の目による検出では、スペース関係が狭いことに基づいて書き込まれた説明文が非常に読みにくいために、確実に行うことはできない。本発明によれば、ミクロトームの外における検出は回避されている。何故ならば、検出された組織サンプルは緊締されるからである。オブジェクトサポートの識別における誤りは、サポートの緊締中に識別情報を自動的に検出することによって、並びに自動的な伝達及び識別によって避けられる。伝達は、電気式、光学式、赤外線式、無線式又はその他の形式で行うことができる。
【００１６】
専門家にとって、オブジェクトサポートの原始に関する情報に関連して切片作製された組織サンプルと一致するようなオブジェクトサポートが常に提供されることによって、さらに確実性が得られる。何故ならば、専門家が切片作製された組織サンプルをオブジェクトサポート上にもたらす瞬間では、正しい識別を有するオブジェクトサポートだけが提供されるようになっているからである。つまり人間による割り当て作業は省かれるのである。割り当て作業が省かれたことによって、割り当て作業の誤りが紛れ込む可能性も省かれる。作業の合間に別のサンプルを処理するために、専門家がサンプルの切片作製を中断する場合でも、割り当て問題は生じない。何故ならば、ミクロトーム内に存在する組織サンプルの識別情報に割り当てられた識別を有するオブジェクトサポートだけが常に提供されるからである。この場合、識別情報及び識別は、物質的に又は電子的にサポート若しくはオブジェクトサポートに接続されている。電子的に接続されている場合には、電子割り当ての物質的に割り当てられた識別コードが用いられる。この解決策は、大きいデータ量において、又は大量のデータを有する物質的な情報が実行しようとする処理のために問題がある場合に有利である。
【００１７】
本発明による装置は、本発明による方法を実施するために必要な装置を提供する。この装置は、正しく識別されたオブジェクトサポート、しかもこの正しく識別されたオブジェクトサポートだけの作製及び提供が、自動的に及び「ジャストインタイムで" just in time"」並びに必要のある箇所で、所望の量で行われるように、配慮する。
【００１８】
この方法及び装置は勿論、冒頭に述べた形式で切片作製された組織サンプルを製造するためだけに設けられているのではない。何故ならば問題は、組織サンプルがどのように処理され切削されるかとは無関係だからである。従って、ナイフが運動するか又はナイフは固定されていてサンプルが運動する形式のミクロトームが対象となっている。このナイフ又はサンプルの一方がキャリッジ又は回転円板上で移動せしめられ、手動によって又は機械的に駆動せしめられるようになっている。勿論、組織切片を作製するためにナイフの代わりにレーザー光線又はその他の方法を使用してもよい。人間の組織切片だけでなく、動物の又は植物の組織切片を扱うこともできる。
【００１９】
冒頭に述べた形式のオブジェクトサポートの識別を準備するための、本発明による装置に関連して、前記課題は、この装置並びに情報キャリアと、サポートに割り当てられた、識別情報を作製するためのデータキャリアとが、組織サンプルの原始割り当ての他に、情報処理コードと、まだ切片作製されていない同一の組織サンプルを原始とする、切片作製された組織サンプルを有する多数のオブジェクトサポートの識別情報を個別に備えるために用いられる情報とを有している識別情報を作成するために構成されていることによって、解決される。
【００２０】
この装置によって、必要な情報が識別情報として、機械的に又は電子的に組織サンプルのサポートに接続されていて、この基本位置で上記方法が上記装置によって実施されるようになっていることによって、オブジェクトサポートの識別が準備される。この場合、この識別を準備するための装置は、同一の組織サンプルに由来する薄切片を有する個別のオブジェクトサポートのための個別の情報取り付けを考慮した割り当て情報を有する使用例に該当する。このような形式で、切片作製された組織サンプルのためのオブジェクトサポートの識別を、まだ切片作製されていない対応する組織サンプルに対して正しく割り当てることが得られるだけではなく、さらに所望の数の組織切片を所望の追加情報を有するオブジェクトサポート上に作製することが保証される。
【００２１】
以下に、前記方法及び装置の実施態様、並びに処理するための本発明による装置について説明されている。
【００２２】
本発明の方法の実施態様によれば、切片作製された組織サンプルを作製する度に識別情報を検出し、識別を有するオブジェクトサポートを作製して、提供するようにした。これによって、切片作製された各組織サンプルのためのオブジェクトサポートの提供も保証される。この場合、勿論、オブジェクトサポートの作製は、ミクロトームを操作する専門家が切片作製された組織サンプルを使用できると判断して、識別されたオブジェクトサポートの製造が開始された時にのみ、行われる。
【００２３】
最も簡単な場合、少なくとも１つのオブジェクトサポートの識別は、同じ形式で、まだ切片作製されていない組織サンプルに割り当てられた識別情報を有している。この場合、大抵の場合は、まだ切片作製されていない組織サンプル又は患者（原始情報がこの患者を原始としている）が、１つの原始情報だけを有している。しかしながら、識別情報が組織サンプルの原始割り当ての他に別の情報を有していてもよい。この情報は、組織サンプルの前処理、取り出しの日付又は場所である。その他の情報も考えられ、そのための例が挙げられている。
【００２４】
このような切片作製された組織サンプルが、それぞれ異なって処理されるか、又は異なって評価されるか、又は順序通りに確認されるべき場合は、情報処理コードに基づくオブジェクトサポートの識別を、原始割り当て情報と共に、オブジェクトサポートの切片作製されていない同一の組織サンプルを原始とｓる、個別の切片作製された組織サンプルをオブジェクトサポート上で個別化する別の情報でロードするようにすれば、有利である。これによって識別に基づくさらなる処理及び評価が行われ、オブジェクトサポートに特別にこのような情報を追加する必要はない。またそれによって組織学的な技術による割り当て問題も解決される。有利には情報処理コード及び別の情報も識別情報に含まれ、それによって物質的に又は電子的にサポートに接続され、ひいてはまだ切片作製されていない組織サンプルに接続される。
【００２５】
前記方法を実施するための装置に関連して、いくつかの実施態様が可能である。検出装置は、サポートをミクロトーム内で位置決めした後で識別情報を検出し、かつ、少なくとも１つのオブジェクトサポートの識別を行うように、構成されていてよい。また検出装置は、切片作製された組織サンプルを製造する際に識別情報を検出し、かつオブジェクトサポートの識別を行うために識別装置に命令を発するように、構成されていてもよい。識別情報の最新の検出、及びオブジェクトサポートの識別の実施も、必要であれば例えばスイッチボタンを押すことによって可能である。
【００２６】
識別情報及び識別は勿論、種々異なる形式で構成することができる。これは例えば、人間が読み取ることができる説明文又は機械的に評価可能な説明文（例えばバーコード）、また磁石式又は電子式の記憶媒体であってよい。この場合、識別情報又は識別は、別個のデータキャリアに設けられており、このデータキャリアが識別コードによってサポートに割り当て可能である。この場合は勿論、正しい割り当てだけが許容されるように保証されなければならない。この解決策は、大量のデータが割り当てられるべき場合（識別情報においてそうである）、特に有利である。また簡単な構成によれば、識別情報が、サポートに物理的（物体的）に接続された情報キャリアにロードされるようになっていても、十分である。
【００２７】
前もって処理された組織サンプルの引き渡し装置にオブジェクトサポートが留まって、割り当て命令が紛れ込むのを避けるために、引き渡し装置は、新たなサポートがミクロトーム内に位置決めされると、識別を備えたオブジェクトサポートの提供を中断するように、構成されていれば、有利である。このために引き渡し装置は、留まっているオブジェクトサポートを拒否するか又は引き戻し、それによって新たな情報書き込むためことができる。
【００２８】
この装置の機能が原始割り当ての純粋な複写を越えている場合は、オブジェクトサポートの識別を実施するための制御装置を有していれば、有利である。このような制御装置が設けられている場合は、この装置が識別の形式及び／又は数を規定するための命令入力を有していれば、有利である。この命令入力は、手動の命令入力であるか、又は命令入力が識別情報によって行われる。コンピュータに接続されたデータライン又はデータキャリアによる命令入力による外部の命令入力も考えられる。
【００２９】
勿論、この装置、最適な場合には識別装置は、まだ識別されていないオブジェクトサポートのための貯蔵部を有していれば有利である。この貯蔵部は、常に十分な程度に識別されたオブジェクトサポートを製造するために十分な大きさを有しており、従って後補充を必要としない。
【００３０】
制御装置は、識別を備えようとするオブジェクトサポートの数を規定することができるように、構成されている。これは、一般的に、どのくらいの数の切片作製された組織サンプルオブジェクトサポート上に必要であるかが医師によって規定される、という事実に基づいている。また、制御装置は、識別を備えようとするオブジェクトサポートの数をマニュアル（手動）で増やすことができるように、構成されなければならない。これは、ミクロトームで作業する専門家がしばしば、所定数以上のオブジェクトサポートを必要とするということを認識しているという事実に基づいている。これは、組織サンプルの品質に疑いがある場合でも、或いは専門家が、特に診断のために薄切片をより多く必要とする場合でも同じである。
【００３１】
命令入力のための前述のような構成において、制御装置は種々異なる形式で情報を有していてよい。また、誤りの可能性が最小となるような有利な構成によれば、制御装置は、識別の数及び／又は形式に関する情報を有する識別情報の識別を行うための情報を取り出すように、構成されている。
【００３２】
特に、前記装置において命令入力及び／又は制御装置が設けられている場合は、この装置が、情報及び／又は作業段階を表示する表示装置を有していれば、有利である。これによって、切片作製を行う専門家は、どのくらいの数の薄切片がどのような形式でどのような情報を有して製作されるかについての情報を受けることができる。これは付加的なコントロール及び補足的な入力を可能にする。
【００３３】
この装置の実際の構成によれば、検出装置とサポートと保持装置とは、検出装置がサポートの読み取りフィールドから識別情報を読み取るように、構成及び配置されている。このために、サポートと保持装置とは、緊締装置として構成された保持装置が緊締されたサポートの読み取りフィールドの外に位置するように、構成され、かつ互いに合致されている。これは、検出装置の相応の配置及び構成によって、又は従来の緊締装置に対してクランプジョーを修正することによって得られる。この場合の目的は、読み取りフィールドに検出装置のための十分なスペースが提供される、という点にある。「読み取りフィールド」とは、勿論、光学式だけではなく、磁石式又は電子式に提供された情報も読み取ることができる、という意味に理解されるべきである。
【００３４】
サポートに割り当てられる識別情報を作成することによって、オブジェクトサポートの識別を準備するための装置も、種々異なる形式で構成することができる。従って、情報キャリアを種々異なる形式で構成することも、また識別情報を形成するための装置を種々異なる形式で構成することもできる。例えば識別情報を作製するための装置は、別個のデータキャリアに識別情報をロードし、このデータキャリア又はデータキャリアの所定のデータ内容、並びに組織サンプルのサポートの情報キャリアに、互いに割り当てるための識別コードを備えるように、構成されていてもよい。この構成は特に、まだ切片作製されていない、かつ／又は切片作製された形状の組織サンプルに、非常に大量のデータを割り当てる必要があり、従ってサポートが、相応の大きさのメモリー媒体を固定するために十分でないような場合、又はこれから処理しようとするサンプルがこのようなメモリー媒体を許容しない場合に、有利である。選択的な構成によれば、装置及び情報キャリアは、情報キャリアが全識別情報でロードされ得るように、構成されている。
【００３５】
情報処理コードによって、オブジェクトサポートは種々異なる情報を得ることができる。例えばオブジェクトサポートは、切片作製された組織サンプルのための種々異なる処理指示指令を得るか、又は切片作製された組織サンプルのための個別の評価指示指令がオブジェクトサポートに設けられた情報内に含ませることができる。
【００３６】
前記装置は、方法及びこの方法を実施するための装置と一緒に、十分な自動化のために使用することができる。このために、前記情報を設けたことが機械的に検出可能及び変換可能な装置制御指示指令として構成されていれば、有利である。
【００３７】
これを変換するために、オブジェクトサポート上に配置された、切片作製された組織サンプルを処理するための装置は、有利には、オブジェクトサポートの識別を検出するための装置と、装置制御装置とを有しており、この装置制御装置が、オブジェクトサポートの識別を含む装置制御指示指令を変換するように、構成されている。前記本発明による手段に基づく自動化も、割り当て問題（この場合はさらなる処理に関連した）を解決するために役立つ。
【００３８】
勿論、別の実施例及び実施態様も考えられる。特に多くの方法の特徴を装置の特徴として実現し、また装置の特徴を方法の特徴として実現することも考えられる。
【００３９】
本発明を以下に、装置のための実施例を用いて説明する。
【００４０】
図１は、本発明の方法を実施するための装置の実施例、
図２ａは、読み取りフィールドを有する、カセットとして構成されたサポートの実施例、
図２ｂは、前記カセットのためのカセット蓋、
図２ｃは、別の構成による、識別情報を有するカセット、
図３ａは、公知の保持装置、
図３ｂは、検出装置を配置するために構成された保持装置、
図４は、識別情報を作製するための装置の実施例である。
【００４１】
図１は、本発明による方法を実施するための本発明による装置の実施例を示す。図面にはミクロトーム６が示されており、このミクロトーム６の保持装置８において走行可能なキャリッジ上でサポート４が緊締されていて、このサポート４は、まだ切片作製されていない組織サンプル５を支持している。このまだ切片作製されていない組織サンプル５は、ミクロトーム６のナイフ２０によって薄い切片を作製するために、２重矢印２１で示した方向で摺動せしめられる。切片厚を得るための送り及びキャリッジガイドは、ミクロトーム６の重要な機能である。この薄い切片は、ミクロトームによって切片作製された組織サンプルであって、この組織サンプルは集積部２２上に集積され、冒頭に述べた形式で引き取られて、水浴２３に供給される。熱い水浴２３によって、切片作製された組織サンプルつまり薄い切片は、平らにされて、オブジェクトサポート２上に載せられる。
【００４２】
本発明によれば、識別情報３のオブジェクトサポート２の識別（ID：アイデンティフケーション）１を、まだ切片作製されていない組織サンプル５に確実かつ効率的に割り当てる（相互参照させる）という問題点が解決された。このために、ミクロトーム６に検出装置７が配置されており、この検出装置７は、サポート４の識別情報３を検出し、伝達装置１０によってオブジェクトサポート２のための識別装置９にさらに伝達する。識別情報３に応じて、識別装置９はオブジェクトサポート２の識別１を作製し、次いでオブジェクトサポート２は引き渡し装置１１で取り出されて、切片作製された組織サンプルを水浴２３から引き取る。このような形式で、サポート４の識別情報３に対するオブジェクトサポート２上の識別１の割り当てが常に保証される。重要なことは、オブジェクトサポート２の識別１の作製が常に、保持装置８内に存在するサポート４の識別情報３に結びついている、ということである。サポート４を取り除いた後では、このサポート４に割り当てるべき識別１はもはや形成されない。新たなサポート４を緊締すると共に、又は古いサポート４を予め取り外してから、識別されたオブジェクトサポート２は引き渡し装置１１から、及び勿論ミクロトーム６の作業位置の領域から取り除かれなければならない。それによって、識別されたオブジェクトサポート２が残ることはなく、ひいては識別情報３と合致しない、切片作製された組織サンプル５に割り当てられることもない。このために識別装置９は有利には、まだ切片作製されていない新しい組織サンプル５を処理する前に、未使用の識別されたオブジェクトサポート２を引き戻すように、構成されている。
【００４３】
図示の実施例では、伝達装置１０が設けられており、この伝達装置１０は例えば情報伝達装置として構成されている。識別装置９に相応の受信機が配置されている。符号１３′は、検出された識別情報３が、同様に伝達装置１０によって伝達される命令信号入力１３′をまだ有していることを意味している。このような形式の命令信号入力は、オブジェクトサポート２の個別化された識別１を、前記形式で処理するために用いられる。選択的に、マニュアルの命令信号入力１３又は外部からの命令信号入力１３″も勿論考えられる。外部からの入力信号入力は、例えばコンピュータに接続されている。表示装置１４によって、作業員に、識別１又はその他の数及び形式についての情報が与えられる。
【００４４】
識別装置９はケーシング内に収容されており、このケーシングは制御装置１２を有していて、この制御装置１２は、命令を処理するか、又は識別情報３をオブジェクトサポート２の個別化された識別１に変換するために用いられる。これについては上記説明も参照される。さらに、識別装置９は貯蔵部１６を有しており、この貯蔵部１６内に、まだ識別されていないオブジェクトサポート２が収納されているので、十分なストックが存在している。
【００４５】
図２ａは、カセットとして構成された、識別情報３を有するサポート４の実施例が示されており、この識別情報３は、読み取りフィールド１５′として構成された情報キャリア１５上に設けられている。勿論、図２ｃに示されたようなバーコード又は電子メモリー、電磁石式のバー等の別の構成の情報キャリア１５も考えられる。カセット２４内に、切片作製されていない組織サンプル５が入れられて、図２ｂに示した蓋２５によって閉じられる。次いで組織サンプルの処理が、冒頭に説明されたように行われる。最後に、切片作製されていない組織サンプル５がパラフィン包埋されて、パラフィンブロックとしてカセット２４に結合され、それによってこのカセット２４が、まだ切片作製されていない組織サンプル５のためのサポート４として用いられる。
【００４６】
図３ａは公知形式の保持装置８を示しており、この保持装置８は前記サポート４つまりカセット２４を、まだ切片作製されていない組織サンプル５に結合して、薄い切片を作製するためにミクロトーム６に位置決めする。公知形式の保持装置８にはクランプジョー１７が設けられており、このクランプジョー１７は、カセット２４を読み取りフィールド１５′及びその反対側で保持するようになっているので、検出装置７を取り付けるのは困難である。これは、保持装置８が図３ｂに示したように、つまりクランプジョー１７がカセット２４を縦方向（長手方向）で保持するように、構成されることによって、解決される。これは勿論、検出装置７を設けるために考えられるその他の多くの可能性の１つの提案にすぎない。
【００４７】
図４には、オブジェクトサポート２の識別１を作製するための装置１８の１実施例が示されている。識別１の作製は、前述のように、サポート４が識別情報３を備えていて、この識別情報３が識別装置９の制御装置１２によってオブジェクトサポート２の相応の識別１に変換されることによって、行われる。従ってこの装置１８は、識別情報３を作製するための装置１９並びに情報キャリア１５，１５′を備えたサポート４から成っている。この識別情報３を作製するための装置１９は、例えばキーボードとして構成されている入力２７と、表示部２８例えば画面とを有している。サポート４の情報キャリア１５を相応の識別情報３でロードするために、全データが入力される。勿論、選択的に、この過程は、データキャリア受容部３０が設けられていて、このデータ受容部３０内に、相応の識別情報３を有するデータキャリア例えばディスクが投入されることによって、行われるようになっていてもよい。次いでこのデータに応じて装置１９が識別情報３をサポート４上に作製する。識別情報３を作製するための、コンピュータにつながったデータラインも考えられる。スムーズな作業を可能にするために、識別情報３のないサポート４のための集積部２６が設けられている。
【００４８】
勿論このために、識別情報３を備えたサポート４を正しい組織サンプル５と一緒にするという特別な手段を、装置１８に講じる必要がある。しかしながら本発明によれば、これは、組織サンプル５を身体から採取した後で、組織サンプル５を最初に割り当てるための除外できない最後の問題のある領域である。本発明によれば、組織サンプル５のさらなる処理及び評価はどのようなものであれ、割り当てが取り違えて行われることはない。
【００４９】
図面には勿論、本発明による装置の可能な構成のほんの一部が示されているだけである。本発明の装置は、市販されているミクロトームに使用されたものに限定されている。ミクロトーム６は別の構成であってもよい。また識別装置９はミクロトームに組み付けられていてもよい。識別装置９は別の構成を有していてもよいか、又は切片作製された組織サンプルをオブジェクトサポート２上に自動的に取り付ける装置を設けてもよい。
【図面の簡単な説明】
【００５０】
【図１】本発明の方法を実施するための装置の実施例の概略的な斜視図である。
【図２】ａは、読み取りフィールドを有する、カセットとして構成されたサポートの実施例の斜視図、ｂは、前記カセットのためのカセット蓋の斜視図、ｃは、別の構成による、識別情報を有するカセットの斜視図である。
【図３】ａは、公知の保持装置の概略的な断面図、ｂは、検出装置を配置するために構成された保持装置の概略図である。
【図４】識別情報を作製するための装置の実施例の概略的な斜視図である。
【符号の説明】
【００５１】
１  切片作製された組織サンプルのためのオブジェクトサポートの識別
２  オブジェクトサポート
３  まだ切片作製されていない組織サンプルのサポートに割り当てられた識別情報
４  サポート
５  まだ切片作製されていない組織サンプル
６  ミクロトーム
７  検出装置
８  保持装置
９  識別装置
１０  伝達装置
１１  引き渡し装置
１２  制御装置
１３，１３′，１３″  命令入力
１３  マニュアルの命令入力
１３′  識別情報による命令入力
１３″  データキャリアによる外部からの明瞭入力又は命令信号
１４  表示装置
１５  情報キャリア
１５′  読み取りフィールド
１６  まだ識別されていないオブジェクトサポート用の貯蔵部
１７  クランプジョー
１８  オブジェクトサポートの識別を準備するための装置
１９  識別情報を作製するための装置
２０  ミクロトームのナイフ
２１  ２重矢印：薄切片を引き取るための保持装置の摺動方向
２２  薄切片の集積部
２３  水浴
２４  カセット
２５  カセット蓋
２６  識別情報なしのキャリアのための集積部
２７  入力（キーボード）
２８  表示部（ディスプレイ）
２９  識別情報を有するサポートの取り出し部
３０  データキャリア受容部
【図１】
2005509154.tif 000003
【図２ａ】
2005509154.tif 000004
【図２ｂ】
2005509154.tif 000005
【図２ｃ】
2005509154.tif 000006
【図３ａ】
2005509154.tif 000007
【図３ｂ】
2005509154.tif 000008
【図４】
2005509154.tif 000009
【手続補正書】
【提出日】平成16年1月16日(2004.1.16)
【手続補正１】
【補正対象書類名】特許請求の範囲
【補正対象項目名】全文
【補正方法】変更
【補正の内容】
【特許請求の範囲】
【請求項１】
オブジェクトサポート（２）に設けようとする、切片作製された組織サンプルのためのオブジェクトサポート（２）の識別（１）を、まだ切片作製されていない所属の組織サンプル（５）のサポート（４）に割り当てられた識別情報（３）に割り当てるための方法において、
サポート（４）に所属する識別情報（３）を、サポート（４）をミクロトーム（６）内に配置する間に自動的に検出して、この識別情報（３）に割り当てられる識別（１）を少なくとも１つのオブジェクトサポート（２）に自動的に伝達し、次いでこの、識別（１）を備えたオブジェクトサポート（２）を、切片作製された組織サンプルをオブジェクトサポート（２）上にもたらすべき時点において、ミクロトーム（６）の、切片作製された組織サンプルを手動で設けるための作業箇所で、ミクロトーム（６）を操作する専門家に提供することを特徴とする、切片作製された組織サンプル用のオブジェクトサポートの識別を割り当てるための方法。
【請求項２】
切片作製された組織サンプルを作製する度に識別情報（３）を検出し、識別（１）を有するオブジェクトサポート（２）を作製して、提供する、請求項１記載の方法。
【請求項３】
少なくとも１つのオブジェクトサポート（２）の識別（１）を、識別情報（３）に対応させる、請求項１又は２記載の方法。
【請求項４】
識別情報（３）に、組織サンプル（５）の原始割り当て情報と共に別の情報を含ませる、請求項１から３までのいずれか１項記載の方法。
【請求項５】
オブジェクトサポート（２）の識別（１）を、情報処理コードに基づいて原始割り当て情報と共に、オブジェクトサポート（２）の切片作製された組織サンプルを個別化する別の情報でロードする、請求項１，２又は４記載の方法。
【請求項６】
前記別の情報に、オブジェクトサポート（２）の切片作製された組織サンプルのための処理指令を加える、請求項５記載の方法。
【請求項７】
前記別の情報に、オブジェクトサポート（２）の切片作製された組織サンプルのための評価指示を加える、請求項５又は６記載の方法。
【請求項８】
識別情報（３）に、情報処理コード及び別の情報を含ませる、請求項５から７までのいずれか１項記載の方法。
【請求項９】
請求項１から８までのいずれか１項記載の方法を実施するための装置において、
切片作製された組織サンプル（５）を有するサポート（４）をミクロトーム（６）の保持装置（８）に配置する間に識別情報（３）を検出するための検出装置（７）と、オブジェクトサポート（２）に識別（１）を設けるための識別装置（９）と、検出装置（７）と識別装置（９）との間で情報伝達するための伝達装置（１０）と、切片作製された組織サンプルを手動で設けるために、ミクロトーム（６）を操作する専門家が識別（１）を備えたオブジェクトサポート（２）を取り出すミクロトーム（６）の作業箇所に設置された引き渡し装置（１１）とが設けられていることを特徴とする、切片作製された組織サンプルのオブジェクトサポートの識別を割り当てるための装置。
【請求項１０】
検出装置（７）が、サポート（４）をミクロトーム（６）内で位置決めした後で識別情報（３）を検出し、かつ、少なくとも１つのオブジェクトサポート（２）の識別（１）を行うように、構成されている、請求項９記載の装置。
【請求項１１】
検出装置（７）は、切片作製された組織サンプルを製造する際に識別情報（３）を検出し、かつオブジェクトサポート（２）の識別（１）を行うために識別装置（９）に命令を発するように、構成されている、請求項９記載の装置。
【請求項１２】
識別情報（３）が別個のデータキャリアに設けられており、このデータキャリアが識別コードによってサポート（４）に割り当て可能である、請求項９から１１までのいずれか１項記載の装置。
【請求項１３】
識別情報（３）が、サポート（４）に物理的に接続された情報キャリア（１５）にロードされる、請求項９から１１までのいずれか１項記載の装置。
【請求項１４】
引き渡し装置（１１）は、新たなサポート（４）がミクロトーム（６）内に位置決めされると、識別（１）を備えたオブジェクトサポート（２）の提供を中断するように、構成されている、請求項９から１３までのいずれか１項記載の装置。
【請求項１５】
オブジェクトサポート（２）の識別（１）を実施するための制御装置（１２）を有している、請求項９から１４までのいずれか１項記載の装置。
【請求項１６】
識別（１）の形式及び／又は数を規定するための命令入力（１３，１３′，１３″）を有している、請求項１５記載の装置。
【請求項１７】
まだ識別されていないオブジェクトサポート（２）のための貯蔵部（１６）を有している、請求項９から１６までのいずれか１項記載の装置。
【請求項１８】
制御装置（１２）は、識別（１）を備えようとするオブジェクトサポート（２）の数を規定することができるように、構成されている、請求項１３から１７までのいずれか１項記載の装置。
【請求項１９】
制御装置（１２）は、識別を備えようとするオブジェクトサポート（２）の数を手動で増やすことができるように、構成されている、請求項１８記載の装置。
【請求項２０】
制御装置（１２）は、識別（１）の数及び／又は形式に関する情報を有する識別情報（３）の識別を行うための情報を取り出すように、構成されている、請求項１５から１９までのいずれか１項記載の装置。
【請求項２１】
情報及び／又は作業段階を表示する表示装置（１４）を有している、請求項９から２０までのいずれか１項記載の装置。
【請求項２２】
検出装置（７）とサポート（４）と保持装置（１２）とは、検出装置（７）がサポート（３）の読み取りフィールド（１５′）から識別情報（３）を読み取るように、構成及び配置されている、請求項１３から２１までのいずれか１項記載の装置。
【請求項２３】
サポート（４）と保持装置（１１）とは、緊締装置として構成された保持装置（１１）が緊締されたサポート（４）の読み取りフィールド（１５′）の外に位置するように、構成され、かつ互いに合致されている、請求項２２記載の装置。
【請求項２４】
請求項９から２３までのいずれか１項記載の装置において、
前記方法の実施を準備するための装置（１８）が設けられており、前記サポート（４）が、前記割り当てのための情報キャリア（１５，１５′）を備えていて、前記装置（１８）が、識別情報（３）を作製するための装置（１９）を有しており、識別情報（３）を作製するための装置（１９）並びに情報キャリア（１５，１５′）と、前記サポート（４）に割り当てられたデータキャリアとが、組織サンプル（５）の原始割り当ての他に、情報処理コードと、まだ切片製作されていない同一の組織サンプル（５）を原始とする、切片作製された組織サンプルを備えた多数のオブジェクトサポート（２）の識別（１）を個別に備えるために用いられる情報とを有する識別情報（３）を作製するために構成されていることを特徴とする、切片作製された組織サンプルのオブジェクトサポートの識別の実施を準備するための装置。
【請求項２５】
識別情報（３）を作製するための装置（１９）は、別個のデータキャリアをロードし、かつこのデータキャリア並びにサポート（４）の情報キャリア（１５，１５′）に相互割り当てするための識別コードを備えるように、構成されている、請求項２４記載の装置。
【請求項２６】
前記装置（１９）及び情報キャリア（１５，１５′）は、情報キャリアが全識別情報（３）でロードされ得るように、構成されている、請求項２４記載の装置。
【請求項２７】
オブジェクトサポート（２）に設けられた情報が、切片作製された組織サンプルのための処理指示指令を有している、請求項２４から２６までのいずれか１項記載の装置。
【請求項２８】
オブジェクトサポート（２）に設けられた情報が、切片作製された組織サンプルのための評価指示指令を有している、請求項２４又は２７記載の装置。
【請求項２９】
設けられた情報が、機械的に検出可能及び変換可能な装置制御指示指令として構成されている、請求項２４から２８までのいずれか１項記載の装置。
【手続補正２】
【補正対象書類名】明細書
【補正対象項目名】０００８
【補正方法】変更
【補正の内容】
【０００８】
別の刊行物（国際公開第００／６２０３５号パンフレット、アメリカ合衆国特許第５８５４０７５号明細書、アメリカ合衆国特許第５７４６８５５号明細書及びドイツ連邦共和国特許公開第１００１０１４０号明細書）には、割り当て問題がその機械的な実施に基づいてもはや発生しない自動プロセスについて記載されている。この完全な自動化は、非常に薄い切片を処理するために問題があり、従って少なくとも技術的なコストを高くすることによってのみ実現可能である。
【手続補正３】
【補正対象書類名】明細書
【補正対象項目名】００１３
【補正方法】変更
【補正の内容】
【００１３】
この課題を解決した本発明の方法の手段によれば、サポートに所属する識別情報を、サポートをミクロトーム内に配置する間に自動的に検出して、この識別情報に割り当てられる識別を少なくとも１つのオブジェクトサポートに自動的に伝達し、次いでこの、識別を備えたオブジェクトサポートを、切片作製された組織サンプルをオブジェクトサポート上にもたらすべき時点において、ミクロトームの、切片作製された組織サンプルを手動で設けるための作業箇所でミクロトームを操作する専門家に提供するようにした。
【手続補正４】
【補正対象書類名】明細書
【補正対象項目名】００１４
【補正方法】変更
【補正の内容】
【００１４】
またこの課題を解決した、本発明の方法を実施するための装置によれば、切片作製された組織サンプルを有するサポートをミクロトームの保持装置に配置する間に識別情報を検出するための検出装置と、オブジェクトサポートに識別を設けるための識別装置と、検出装置と識別装置との間で情報伝達するための伝達装置と、切片作製された組織サンプルを手動で設けるために、ミクロトームを操作する専門家が識別を備えたオブジェクトサポートを取り出すミクロトームの作業箇所に設置された引き渡し装置とが設けられている。
【手続補正５】
【補正対象書類名】明細書
【補正対象項目名】００１９
【補正方法】変更
【補正の内容】
【００１９】
冒頭に述べた形式のオブジェクトサポートの識別を準備するための装置によれば、この装置並びに情報キャリアと、サポートに割り当てられたデータキャリアとが、組織サンプルの原始割り当ての他に、情報処理コードと、まだ切片作製されていない同一の組織サンプルを原始とする、切片作製された組織サンプルを有する多数のオブジェクトサポートの識別情報を個別に備えるために用いられる情報とを有する識別情報を作成するために構成されている。
【手続補正６】
【補正対象書類名】明細書
【補正対象項目名】００４９
【補正方法】変更
【補正の内容】
【００４９】
図面には勿論、本発明による装置の可能な構成のほんの一部が示されているだけである。本発明の装置は、市販されているミクロトームに使用されたものに限定されている。ミクロトーム６は別の構成であってもよい。また識別装置９はミクロトームに組み付けられていてもよい。識別装置９は別の構成を有していてもよい。


【国際調査報告】
2005509154.tif 000010
2005509154.tif 000011
2005509154.tif 000012
2005509154.tif 000013
2005509154.tif 000014
2005509154.tif 000015